(57)【要約】【課題】  通風性と防蚊性を備え、さらに、外観や風情に優れた網地として、既にある障子や襖に張り付けて使用可能とするインテリア用網地を提供することである。【解決手段】モノフィラメント糸を編織して網地とし、該網地に所定の模様柄をプリントし、及び／又は防蚊処理を施したインテリア用網地１とした。【選択図】  図１
0003112599.tif 000002
【実用新案登録請求の範囲】
【請求項１】
モノフィラメント糸を編織した網地とし、該網地に所定の模様柄をプリント及び／又は防蚊処理を施したことを特徴とするインテリア用網地。
【請求項２】
前記モノフィラメント糸を平織り、もしくはからみ織りしたことを特徴とする請求項１に記載のインテリア用網地。
【請求項３】
前記モノフィラメント糸をトリコット編みしたことを特徴とする請求項１に記載のインテリア用網地。
【請求項４】
ポリエステルモノフィラメント糸と可溶性繊維との混紡糸を編織した網地とし、該網地をオパール加工して所定の模様柄を現出した後で、プリント及び／又は防蚊処理を施したことを特徴とするインテリア用網地。
【考案の詳細な説明】
【技術分野】
【０００１】  本考案は、網地に係り、特に部屋の障子や襖等の建具に貼り付けて使用するインテリア用網地に関するものである。
【背景技術】
【０００２】  従来、和室においては、人が居住する空間を仕切るために、もっぱら障子や襖が使用されている。【０００３】  上記の障子は、戸枠に白い障子紙を貼付した構成であり、それらの障子紙は一般に白一色の単調な色合いのものである。また、襖は、戸枠に所定の風景や柄が印刷された構成であり、傷ついたり破れたりすると、別な色合いの紙を貼付して修復する必要があり、風情を損ねていた。【０００４】  そのために、こうした従来の障子に対して鑑賞用に用いられる模様を付加された装飾用掛け障子が既に出願されている。（例えば、特許文献１参照）。
【特許文献１】  実登第３０６７８０２号公報（第１−４頁、第１図）
【考案の開示】
【考案が解決しようとする課題】
【０００５】  一般に障子や襖は、部屋の外から中を覗かれないために、部屋の外と内を仕切るものであって、一般に単調な色合いの紙が貼付されたものである。そのために、外と内とを紙部材が遮断することになり、外から部屋の中を覗かれる虞もないが、空気の流れをも遮断するので、新鮮な空気の流入もない。【０００６】  そのために、空気の入れ替えを行う際には、障子や襖を開けて、部屋を開放する必要がある。しかし、夏等のシーズンに部屋を開放すると、蚊や虫等が部屋内に侵入することがあり、不快感を与えるという問題がある。さらには、単調な色合いの障子や襖では、外観が良くなく、風情もない。また、前記障子や襖が破れたり孔が空いていたりすると、外観や風情がさらに悪くなる。【０００７】  模様を付加するとした前記装飾用掛け障子は、模様意匠を表面に印刷された和紙を貼り付けたものであるため、模様ごとに異なった装飾用掛け障子を製作しておく必要があり、一旦製作した所定の模様を簡単に替えることはできず、模様を替える際には、前記装飾用掛け障子毎交換する必要がある。【０００８】  本考案の目的は、通風性と防蚊性を備え、さらに、外観や風情に優れた網地として、既にある障子や襖等の建具に張り付けて使用可能とするインテリア用網地を提供することである。
【課題を解決するための手段】
【０００９】  上記の目的を達成するために請求項１に係る考案は、モノフィラメント糸を編織して網地とし、該網地に所定の模様柄をプリント及び／又は防蚊処理を施したインテリア用網地であることを特徴としている。【００１０】  上記の構成を有する請求項１に係る考案によれば、モノフィラメント糸を編織した網地からなり、所望の色合いや絵柄を有する外観に優れ、防蚊性を備えるインテリア用網地としたので、任意の障子や襖等に貼り付けて、防蚊性と通気性を備え、さらに風情に優れたインテリアとして使用することができる。【００１１】  請求項２に係る考案は、前記モノフィラメント糸を平織り、もしくはからみ織りしたことを特徴としている。【００１２】  上記の構成を有する請求項２に係る考案によれば、モノフィラメント糸を平織り、またはからみ織りした網地として、外観に優れていると共に、通気性と防蚊性を備える網地とすることができる。【００１３】  請求項３に係る考案は、前記モノフィラメント糸をトリコット編みしたことを特徴としている。【００１４】  上記の構成を有する請求項３に係る考案によれば、モノフィラメント糸をトリコット編みすることで、緻密なピッチで編成することができ、緻密な絵柄をプリント可能であり、さらに美観に優れると共に防蚊性に優れたインテリア用網地とすることができる。【００１５】  請求項４に係る考案は、ポリエステルモノフィラメント糸と可溶性繊維との混紡糸を編織した網地とし、該網地をオパール加工して所定の模様柄を現出した後で、プリント及び／又は防蚊処理を施したインテリア用網地であることを特徴としている。【００１６】  上記の構成を有する請求項４に係る考案によれば、さらに細かい模様を柄出しすることができ、さらに美観に優れたインテリア用網地とすることができる。
【考案の効果】
【００１７】  本考案によれば、モノフィラメント糸を編織して網地とし、該網地に所定の模様柄をプリント及び／又は防蚊処理を施したインテリア用網地としたので、通気性と防蚊性を備え、外観や風情に優れていると共に、既にある障子や襖等の替わりに、また、これらの上から張り付けて使用可能なインテリア用網地を得ることができる。
【考案を実施するための最良の形態】
【００１８】  通風性と防蚊性を備え、外観や風情に優れていると共に、既にある障子や襖等の建具に張り付けて使用可能なインテリア用網地を得るという目的を、モノフィラメント糸を編織して網地とし、該網地に所定の模様柄をプリントし、及び／又は防蚊処理を施したインテリア用網地とすることで実現した。
【実施例】
【００１９】  以下、本考案に係るインテリア用網地の実施例について、図１から図３に基づいて詳細に説明する。【００２０】  図１は本考案に係るインテリア用網地を障子や襖等の一部に装着した例を示す正面図である。図２には本考案に係るインテリア用網地を障子や襖等の建具の全面に装着した一例であり、（ａ）は全体正面図であり、（ｂ）は一部断面拡大図である。図３には本考案に係るインテリア用網地を示しており、（ａ）は織物構成の網地を示し、（ｂ）は編物構成の網地を示している。【００２１】  図１には本考案に係るインテリア用網地１を障子又は襖等の一部に装着する例を示しており、貼付したい場所に応じた大きさに裁断したインテリア用網地１を、例えば障子１０の破れた部分３１や襖２０のシミやカビ等により汚れた部分３２等の上に貼付して使用可能とされている。【００２２】  前記インテリア用網地１は、モノフィラメント糸を編織した布地に所定の模様柄をプリント及び／又は防蚊処理を施した網地であって、室内装飾用として使用する場合には所定の模様柄をプリントしているので、季節が変わる毎に、また、部屋の模様替えの毎に所望の風情を出すために所定の絵柄がプリントされたインテリア用網地１を貼付することができる。この貼付作業は両面テープや接着剤を用いて行うことができる、【００２３】  また、障子や襖等の一部が破れた場合には、その部分を被覆するように、前記インテリア用網地１を所定の大きさに裁断して、金網の上から前記インテリア用網地１を貼付することができる。【００２４】  上記のように、障子１０の上に貼付する場合にも、前記インテリア用網地１には、所定の模様柄がプリントされているので、風情や外観に優れた防蚊網戸とすることができる。さらには、窓を開けていても模様柄がプリントされているので、室外からは綺麗な模様柄が見えるだけであり、室内が見え難くなる効果をも備える。【００２５】  図２（ａ）には障子や襖等の建具の全面にインテリア用網地１を装着する例を示しており、戸板２と紙部材３からなる建具１１の紙部材３の少なくとも一方の面にインテリア用網地１を張り付けた構成である。また、前記インテリア用網地１を前記紙部材３に張り付ける際には、両面テープや接着剤を用いて貼付することも可能であるが、図２（ｂ）に示すように、膨出部を備える樹脂製の止着ピン５を、前記インテリア用網地１と前記紙部材３とを貫通するように嵌入して固定することで、前記インテリア用網地１を前記紙部材の任意の位置に容易に止着することもできる。【００２６】  前記紙部材３は、一般に単調な色合いの網材であり、外観が良くなく、風情もない。また、前記紙部材３が破れたり孔が空いていたりすると、外観や風情がさらに悪くなる。そのために、所定の絵柄がプリントされたインテリア用網地１を貼付した障子や襖とすることで、外観や風情に優れた室内空間を演出することができる。【００２７】  さらに、前記インテリア用網地１は防蚊性を備えているので、紙部材３を使用せず、そのままの網地だけの障子としても、蚊等の侵入を防止すると共に、通気性も得ることができる。【００２８】  インテリア用網地１は、例えば図３（ａ）に示すように、モノフィラメント糸を平織りしたものであっ���、例えば、２０Ｄ（デニール）のポリエステルモノフィラメント糸を経糸、緯糸の両方共に用いて緻密に平織りした構成のインテリア用網地１Ａとしている。【００２９】  また、蚊や小さな虫の侵入を防止可能な程度の織目としていればよく、このような目付けの網地であれば、防蚊性を備えると共に通気性に優れた網地とすることができる。【００３０】  さらに、モノフィラメント糸を平織りした布地からなるその織目を細かくしてとしているので、すっきりとした綺麗な外観を備えていると共に、軽量である。そのために、持ち運びが容易であり、貼付作業も楽に行うことができる。【００３１】  また、モノフィラメント糸を平織りする構成であるので、その織目を所望の大きさの目付けのメッシュ状とすることも容易であり、製織する際に経糸、緯糸の本数を加減して適当な織り密度とするだけで、通気性と防蚊性との両方を満足して備える網地を製作することができる。【００３２】  前記インテリア用網地１を平織りではなく、からみ織りして形成することもできる。からみ織りとは単に経糸と緯糸とを織り込むだけでなく、経糸と緯糸とを絡みつかせるようにして織っていく織成方法であり、さらに織目がずれ難い構成となり好適である。【００３３】  また、図３（ｂ）に示すように、前記インテリア用網地１を編成して形成することもできる。編成する際には、緻密な編成が可能なトリコット編みとすることが好ましい。トリコット編みとは経編みの一種であり、よこ編みでは達成できない程の緻密な編みピッチで編成できるものであり、防蚊性を備える程度の編目（例えば、０．５〜１．５ｍｍピッチ）のインテリア用網地１Ｂを編成することができる。【００３４】  上記したように、前記インテリア用網地１Ａ，１Ｂはモノフィラメント糸を編織した布状の網地であるので、この網地に所望の色合いや絵柄をプリントすることができる。また前記布状の網地に前処理として防蚊処理を施すことで、通気性を備えると共にさらに強力な防蚊性を備える網地とすることができる。【００３５】  前記防蚊処理とは、前記網地に蚊や虫等が忌避作用を発揮する成分を含浸することである。また前記忌避作用を発揮できる成分として、例えばユーカリ油、レモン油、ローズゼラニウム油等の精油中に含まれているシネオール、リモネン等の精油成分が好適であることが知られている。また、これらの精油成分は芳香性、殺菌による脱臭性をも有するものが多く、繊維に用いるのに適しているといえる。【００３６】  さらに、ポリエステルモノフィラメント糸等の合成繊維に対しては、特殊トルイル酸誘導体を主成分とする加工剤を含浸、塗布、練り込み等の手段により布状の網地本体に施すことで、防蚊性機能を発揮することができる。【００３７】  また、図２（ｂ）に示すように、戸枠２に装着された紙部材３の面にインテリア用網地１を止着した構成の建具１１ではなく、インテリア用網地１を戸板２の両面に貼付した建具１１を形成することも可能である。【００３８】  その際には、室内に面した側と外に面した側とにそれぞれ適当な模様や絵柄をプリントしたインテリア用網地１を貼付すればよい。また、インテリア用網地１を形成するモノフィラメント糸を強度の高い糸条、例えば、前記した２０Ｄ��りも太い３０〜５０Ｄ程度のモノフィラメント糸を使用すると、網地の強度が強くなるので好適である。【００３９】  インテリア用網地１を、従来の紙部材に止着して使用するタイプのものでは、止着したい部分に接着剤を塗布して貼付するか、もしくは両面テープや止着ピン５を用いて所定位置に止着することができる。また貼付する際には、網地全面に接着剤を塗布する必要はなく、外周囲及び中央部付近等に塗布すればよく、両面テープや止着ピン５を用いる場合でも、外周囲の所定位置（例えば、四隅）に嵌入して止着すればよい。【００４０】  また、前記インテリア用網地１は、モノフィラメント糸を編織した網地であるので、薄くて軽量であり、持ち運びが容易であり、止着作業の簡単であるので、従来の障子や襖を補修するメンテナンス作業を容易に行うことができる。また、部屋の模様替えの際にも、所望の絵柄をプリントしたインテリア用網地１を止着するだけでよい。【００４１】  上記したように本考案によれば、モノフィラメント糸を編織して網地とし、該網地に所定の模様柄をプリントし、及び／又は防蚊処理を施したインテリア用網地としたので、通気性を備えると共にさらに強力な防蚊性を有する、さらに、所望の絵柄をプリントする構成としたので外観や風情に優れていると共に、既にある障子や襖等に貼り付けて使用可能であり、さらには部屋の模様替えやインテリアのための壁紙ともなるインテリア用網地を得ることができる。【００４２】  さらに、ポリエステルモノフィラメント糸と可溶性繊維との混紡糸を編織した網地とし、該網地をオパール加工して所定の模様柄を現出した後で、プリント及び／又は防蚊処理を施したインテリア用網地とすることも可能である。【００４３】  オパール加工とは、例えば弱アルカリ溶液（例えば水酸化ナトリウム溶液）により溶解されるウール繊維を、予めポリエステルモノフィラメント糸と拠り合わせて混紡糸を形成し、この混紡糸により網地を編織した後で、前記ウール繊維の一部を溶解して、所定の模様を柄出しする所謂透かし模様を出す加工である。【００４４】  上記のようにオパール加工を施すだけで透かし模様を現出することが可能であるが、さらにプリント加工を併用して施すことで、さらに細かい柄や模様を現出することが可能であり、外観や風情に優れた障子紙や襖用紙として使用可能なインテリア用網地を得ることができる。
【図面の簡単な説明】
【００４５】
【図１】  本考案に係るインテリア用網地を障子や襖の一部に装着した例を示す正面図である。
【図２】  本考案に係るインテリア用網地を障子や襖等の建具の全面に装着した一例を示しており、（ａ）は全体正面図であり、（ｂ）は一部断面拡大図である。
【図３】  インテリア用網地を示しており、（ａ）は織成したインテリア用網地を示し、（ｂ）には編成したインテリア用網地を示している。
【符号の説明】
【００４６】  １  インテリア用網地
２  戸枠
３  紙部材
１０  障子
１１  建具
２０  襖
【図１】
0003112599.tif 000003
【図２】
0003112599.tif 000004
【手続補正書】
【提出日】平成17年4月7日(2005.4.7)
【手続補正１】
【補正対象書類名】明細書
【補正対象項目名】００４５
【補正方法】変更
【補正の内容】
【００４５】
【図１】  本考案に係るインテリア用網地を障子や襖の一部に装着した例を示す正面図である。
【図２】  本考案に係るインテリア用網地を障子や襖等の建具の全面に装着した一例を示しており、（ａ）は全体正面図であり、（ｂ）は一部断面拡大図である。